(57)【要約】【課題】２度目以降はすばやくデータ放送を表示することを目的とする。【解決手段】データ放送を受信できるテレビジョン受信装置において、ＲＧＢ信号にデコードされた後の信号をメモリに書き込み、２度目以降同一のデータ放送画面を表示する場合はメモリに記憶されているＲＧＢ信号にデコードされたデータを読み出して表示することにより、データ放送をＲＧＢ信号にデコードする時間が不要になるので、２度目以降はすばやくデータ放送を表示することできる。【選択図】図１
2007036923.tif 000002
【特許請求の範囲】
【請求項１】
データ放送を受信できるテレビジョン受信装置において、ＲＧＢ信号にデコードされた後の信号をメモリに書き込むことにより、２度目以降はすばやくデータ放送を表示することが可能なテレビジョン受信装置。
【請求項２】
データ放送を受信できるテレビジョン受信装置において、デジタル放送信号をＲＧＢ信号に変換するデジタル放送デコーダ回路と、前記ＲＧＢ信号の画質改善及び解像度変換を行う信号処理回路と、前記信号処理回路の出力の読み書きを行うメモリ制御回路と、前記信号処理回路の出力を書き込み保存するメモリと、前記信号処理回路の出力とメモリから読み出された信号とを選択する選択器と、ユーザーのデータ放送を表示したい旨を検知するユーザーＩ／Ｆと、前記選択器の出力を表示ディスプレイデバイスを駆動する信号に変換する駆動回路と、前記駆動回路から出力されるテレビジョン信号を表示するディスプレイデバイスとを備えたことを特徴とするテレビジョン受信装置。
【請求項３】
メモリへ書き込むｂｉｔ数は書き込む前のｂｉｔ数より少なくした請求項１に記載のテレビジョン受信装置。
【請求項４】
メモリ制御回路とメモリの間にビット圧縮回路を備えた請求項２に記載のテレビジョン受信装置。
【請求項５】
データ放送を受信できるテレビジョン受信装置において、現在のデータ放送を表示するユーザーＩ／Ｆ手段の他に、過去のデータ放送を表示するユーザーＩ／Ｆ手段を備えた請求項２に記載のテレビジョン受信装置。
【請求項６】
過去のデータ放送は複数の表示画面を記憶しておき、任意の表示画面を選択することが可能な請求項５に記載のテレビジョン受信装置。
【発明の詳細な説明】
【技術分野】
【０００１】
本発明はテレビジョン受信装置におけるデジタル放送のデータ放送表示に関するものである。
【背景技術】
【０００２】
ＢＳデジタルや地上波デジタルなどのデジタル放送は映像の高画質化とともにデータ放送が一つの魅力である。データ放送は知りたい情報を取り出せるなどユーザーとって魅力的な機能である。デジタル放送およびデータ放送が視聴可能なテレビの一例として松下電器産業株式会社製ＴＨ−３２Ｄ６０などがある。また、そのデータ放送を便利に利用しようという試みも各種なされている（例えば特許文献１参照）。
【特許文献１】特開平１０−２９０４３８号公報
【発明の開示】
【発明が解決しようとする課題】
【０００３】
しかしながら従来のテレビジョン受信装置では、デジタル放送やデータ放送は映像信号やデータがデジタルデータの形で送られてくる場合、デジタルデータはデータ圧縮、スクランブルなど様々な形で加工されて送られてくるため、もとの映像信号やデータに戻す処理に時間がかかり表示するまでに時間がかかるという問題があった。特にデータ放送は一度表示したデータ放送内容をそっくりそのまま再表示するにも時間がかかるという課題がある。
【０００４】
本発明は前記従来の課題を解決するもので、ＲＧＢ信号にデコードされた後の信号をメモリに書き込むことにより、２度目以降はすばやくデータ放送を表示するテレビジョン受信装置を提供することを目的とする。
【課題を解決するための手段】
【０００５】
前記従来の課題を解決するために、本発明の第１の発明に係るテレビジョン受信装置は、データ放送を受信できるテレビジョン受信装置において、ＲＧＢ信号にデコードされた後の信号をメモリに書き込むことにより、２度目以降はすばやくデータ放送を表示させる作用を有することを特徴とする。
【０００６】
本発明の第２の発明に係るテレビジョン受信装置は、データ放送を受信できるテレビジョン受信装置において、デジタル放送信号をＲＧＢ信号に変換デジタル放送デコーダ回路と、前記ＲＧＢ信号の画質改善及び解像度変換を行う信号処理回路と、前記信号処理回路の出力の読み書きを行うメモリ制御回路と、前記信号処理回路の出力を書き込み保存するメモリと、前記信号処理回路の出力とメモリから読み出された信号とを選択する選択器と、ユーザーがデータ放送を表示したい旨を検知するユーザーＩ／Ｆと、各種の回路やデバイスを制御するマイコンと、前記選択器の出力を表示ディスプレイデバイスを駆動するのに最適な形で変換する駆動回路と、最終的にテレビジョン信号を表示するディスプレイデバイスとを備えたことを特徴とする。
【０００７】
本発明の第３の発明に係るテレビジョン受信装置は、第１の発明に加えてさらにメモリへ書き込むｂｉｔ数は書き込む前のｂｉｔ数より少なくしたテレビジョン受信装置であり、使用するメモリ容量を少なくしつつ、２度目以降はすばやくデータ放送を表示させる作用を有することを特徴とする。
【０００８】
本発明の第４の発明に係るテレビジョン受信装置は、第２の発明の構成に加えてさらにメモリ制御回路とメモリの間にビット圧縮回路を備えたテレビジョン受信装置である。
【０００９】
本発明の第５の発明に係るテレビジョン受信装置は、第２の発明において現在のデータ放送を表示するユーザーＩ／Ｆ手段の他に過去のデータ放送を表示するユーザーＩ／Ｆ手段を備えたテレビジョン受信装置である。
【００１０】
本発明の第６の発明に係るテレビジョン受信装置は、第５の発明に加えてさらに過去のデータ放送は複数の表示画面を記憶しておき、任意の表示画面を選択することが可能なテレビジョン受信装置である。
【発明の効果】
【００１１】
本発明によれば、データ放送を受信できるテレビジョン受信装置において、ＲＧＢ信号にデコードされた後の信号をメモリに書き込むことにより、２度目以降はすばやくデータ放送を表示することが可能なテレビジョン受信装置を提供することが可能となる。
【発明を実施するための最良の形態】
【００１２】
以下本発明を実施するための最良の形態について、図面を参照しながら説明する。
【００１３】
（実施の形態１）
図１は本発明のテレビジョン受信装置の構成図の一例である。図１において、１はデジタル放送を受信してデジタルデータを地上波放送と同じような処理を行うためのＲＧＢ信号などに変換するデジタル放送デコーダ、２は前記ＲＧＢ信号をユーザーの好みに応じて画質改善を行い、表示ディスプレイデバイスにあわせて解像度変換を行う信号処理回路、３は前記信号処理回路２の出力の読み書きを行うメモリ制御回路、４は前記信号処理回路２の出力を書き込み保存するメモリ、５は前記信号処理回路２の出力とメモリ４から読み出された信号とを選択する選択器、６はユーザーがデータ放送を表示したい旨を検知するユーザーＩ／Ｆ、７は各種の回路やデバイスを制御するマイコン、８は前記選択器５の出力を表示ディスプレイデバイスを駆動する信号に変換する駆動回路、９は最終的にテレビジョン信号を表示するディスプレイデバイスである。
【００１４】
以下に具体的な動作を説明する。通常の放送映像受信時は送られてきた電波を受信してデジタル放送デコーダ１で処理を行う。デジタル放送は映像信号がデジタル化や帯域圧縮、スクランブル処理などされ、デジタル放送デコーダで地上波アナログ放送と同じようなデジタル化されたＲＧＢ信号（もしくはＹ色差信号）へ変換される。変換されたＲＧＢ信号は信号処理回路２でユーザーの好みに応じてピーキング補正やコントラスト補正などの画質改善を行い、表示ディスプレイデバイスにあわせて解像度変換を行い出力される。出力された信号は選択器５を経て最終的にテレビジョン信号を表示するディスプレイデバイス９を駆動するための駆動信号に駆動回路８で変換されて表示される。
【００１５】
データ放送受信時もデジタル放送デコーダ１内部での処理が変わるだけでその他は通常の映像信号と同じ処理を行う。その際にデータ放送は放送データの一部のデータを割り当てられているのに過ぎないため、画面１面を表示するためには複数フレームの信号からデータを作成しなければならない。そのためユーザーがデータ放送を表示する操作をユーザーＩ／Ｆ６を介してマイコン７に指示を行っても実際にデータ放送が表示されるまでには時間がかかる。
【００１６】
そこで一度データ放送を表示することができた場合、ユーザーが再度そのデータ放送を表示させたい時はユーザーＩ／Ｆ６を介して表示データの保存をマイコン７に指示する。マイコン７はメモリ制御回路３を制御して表示データをメモリ４に書き込みを行い、ＲＧＢ信号である表示データをメモリ４に保存する。
【００１７】
ユーザーはその後映像受信後に保存してあるデータ放送のデータを見たい場合は、再度ユーザーＩ／Ｆ６を介してマイコン７に指示を行う。マイコン７はメモリ制御回路３を制御してメモリ４から保存されているデジタル放送の表示データの読み出しを行う。読み出されたデータは選択器５、駆動回路８を経てディスプレイデバイス９へ提供され表示される。メモリ４から読み出すデータは信号処理回路２にて画質改善や解像度変換を行なったＲＧＢ信号に変換されており、ディスプレイデバイスを表示するにふさわしいデータとなっているため、ユーザーが操作をしてからすぐに表示することが可能である。以上により１度表示した後２度目以降はすばやくデータ放送を表示することが可能となる。
【００１８】
なお、上記では保存する画面を１画面分として説明しているが、複数の画面を保存することも可能である。またデジタル放送の操作を上記ではユーザーＩ／Ｆ６共通で行っているが、別々のユーザーＩ／Ｆ手段を用いても良いことは言うまでもない。
【００１９】
（実施の形態２）
図２において１０はビット圧縮回路である。メモリ制御回路３でメモリ４へデータを保存する際にビット圧縮回路１０にて通常表示のｂｉｔ数よりも少ないｂｉｔ数変換した後メモリ４へ書き込みを行う。ｂｉｔ数の削減はディザやＦＲＣ、ノイズシェーピングなど多階調化の技術を用いる。そうすることでメモリ４のメモリ容量を少なくすることや、同一のメモリ容量でより多くの画面を保存することが可能となる。
【産業上の利用可能性】
【００２０】
本発明にかかるテレビジョン受信装置は、ＲＧＢ信号にデコードされた後の信号をメモリに書き込むことにより、２度目以降はすばやくデータ放送を表示することが可能であるため、デジタル放送やデータ放送を受信するテレビジョン受信装置として有用である。
【図面の簡単な説明】
【００２１】
【図１】本発明の第１の実施例のテレビジョン受信装置のブロック図を示した図
【図２】本発明の第２の実施例のテレビジョン受信装置のブロック図を示した図
【符号の説明】
【００２２】
１    デジタル放送デコーダ
２    信号処理回路
３    メモリ制御回路
４    メモリ
５    選択器
６    ユーザーＩ／Ｆ
７    マイコン
８    駆動回路
９    ディスプレイデバイス
１０    ビット圧縮回路
【図１】
2007036923.tif 000003
【図２】
2007036923.tif 000004